(57)【要約】      （修正有）【課題】受電装置において異常が解消された場合等に、直ちに動作を再開することが可能であるＰｏＥ給電システムを提供する。【解決手段】イーサネットの規格に従って通信を行うネットワークを用いたＰｏＥ給電システム１であって、給電装置１０は、ケーブル３０を介して給電を行う。受電装置２０は、ケーブルを介して受電すると動作し、給電装置との通信を行う。要求スイッチ２４は、ケーブルを介して給電装置に対して給電再開を要求する信号である給電要求信号を送信する。給電ブロック１１は、給電装置とケーブルとの接続状態を切替可能に設定する。給電制御ブロック１３は、給電要求信号を受信すると、接続状態を給電状態に切り替える制御を行う。接続状態は、給電状態と、給電要求信号を受信すると接続状態を給電状態に切り替えるスタンバイ状態とを含む。【選択図】図１
2019106594.tif 000002
【特許請求の範囲】
【請求項１】
イーサネット（登録商標）の規格に従って通信を行うネットワークを用いたＰｏＥ給電システム（１）であって、
前記ネットワークでの通信及び送電を同一の電線で行うように構成されたケーブル（３０）と、
前記ケーブルを介して給電を行うように構成された給電装置（１０）と、
前記ケーブルを介して受電すると動作し、前記通信を行うように構成された受電装置（２０）と、
前記ケーブルを介して前記給電装置に対して給電再開を要求する信号である給電要求信号を送信するように構成された要求スイッチ（２４）と、
を備え、
前記給電装置は、
前記給電装置と前記ケーブルとの接続状態を切替可能に設定するように構成された給電ブロック（１１）と、
給電制御ブロック（１３）と、を備え、
前記接続状態は、
前記ケーブルを介して、前記給電装置の作動に必要な電力を供給する状態である給電状態と、
前記ケーブルを介して、前記給電要求信号を受信可能である状態であるスタンバイ状態と、を含み、
前記給電制御ブロックは、前記給電要求信号を受信すると、前記接続状態を前記給電状態に切り替える制御を行う、ＰｏＥ給電システム。
【請求項２】
請求項１に記載のＰｏＥ給電システムであって、
前記給電装置及び前記受電装置を接続する前記ケーブルは、第一通信線（３１）及び第二通信線（３２）を有し、
前記給電ブロックは、切替部（１１１，１１２）を備え、
前記切替部は、前記給電状態では、前記第一通信線が電源（５０）に接続され、かつ、前記第二通信線が接地されるように構成され、前記スタンバイ状態では、前記第一通信線及び前記第二通信線のいずれもが抵抗器である給電抵抗（１１４）を介して電源に接続され、かつ、前記給電制御ブロックに接続されるように構成され、
前記要求スイッチは、
一端が、前記第一通信線及び第二通信線との間に直列接続された一対の抵抗器である直列抵抗（２５、２６）の前記抵抗器の共通接続端に接続され、他端が接地されるように構成された、ＰｏＥ給電システム。
【請求項３】
請求項２に記載のＰｏＥ給電システムであって、
前記給電ブロックは、前記スタンバイ状態の時に前記切替部を介して入力される入力信号の電位である入力電圧があらかじめ設定された閾値電圧より大きいか否かを判定する判定回路（１１３）を更に備え、
前記給電制御ブロックは、前記判定回路により前記入力電圧が前記閾値電圧よりも大きいと判定された場合に、前記給電要求信号を受信したと判定する、ＰｏＥ給電システム。
【請求項４】
請求項１から請求項３までのいずれか１項に記載のＰｏＥ給電システムであって、
前記要求スイッチは、前記受電装置と一体に設けられる、ＰｏＥ給電システム。
【発明の詳細な説明】
【技術分野】
【０００１】
本開示は、ＰｏＥ給電システムに関する。
【背景技術】
【０００２】
データの送受信を行う通信ケーブルを介して給電装置から受電装置に電力を供給するＰｏｗｅｒ  ｏｖｅｒ  Ｅｔｈｅｒｎｅｔ給電システム（以下、ＰｏＥ給電システム）が知られている。
【０００３】
ＰｏＥ給電システムにおいて、受電装置に異常が発生すると、受電装置に発熱や動作の停止が発生する可能性がある。
そこで、特許文献１では、以下のような技術が提案されている。すなわち、受電装置に異常が発生した場合に、受電装置はケーブルに過電流を流す。給電装置は当該過電流を、ケーブルを介して検出すると、受電装置に対する給電を停止する。そして、給電が停止された受電装置に対しては、一定時間経過後に給電を再開して、過電流が継続していれば再び給電を停止する制御を行い、過電流が解消していれば給電を続ける制御を行う。
【先行技術文献】
【特許文献】
【０００４】
【特許文献１】特開２００８−２９４９５１号公報
【発明の概要】
【発明が解決しようとする課題】
【０００５】
しかしながら、特許文献１に記載の従来システムでは、一旦給電が停止された受電装置は、上記一定時間を経過しなければ給電が再開されない。このため、異常が解消されても直ちに動作を再開することができなかった。
【０００６】
本開示では、受電装置において異常が解消された場合等に、直ちに動作を再開することが可能であるＰｏＥ給電システムに関する技術を提供する。
【課題を解決するための手段】
【０００７】
本開示の一態様は、イーサネット（登録商標）の規格に従って通信を行うネットワークを用いたＰｏＥ給電システム（１）であって、ケーブル（３０）と、給電装置（１０）と、受電装置（２０）と、要求スイッチ（２４）と、を備える。ケーブルは、ネットワークでの通信及び送電を同一の電線で行うように構成されている。給電装置は、ケーブルを介して給電を行うように構成されている。受電装置は、ケーブルを介して受電すると動作し、通信を行うように構成されている。要求スイッチは、ケーブルを介して給電装置に対して給電再開を要求する信号である給電要求信号を送信するように構成されている。給電装置は、給電ブロックと、給電制御ブロックと、を備える。給電ブロックは、給電装置とケーブルとの接続状態を切替可能に設定するように構成されている。給電制御ブロックは、前記給電要求信号を受信すると、前記接続状態を前記給電状態に切り替える制御を行う。接続状態は、給電状態とスタンバイ状態とを含む。ここで、給電状態は、ケーブルを介して、給電装置の作動に必要な電力を供給する状態である。また、スタンバイ状態は、ケーブルを介して、給電要求信号を受信可能である状態である。
【０００８】
このような構成によれば、ＰｏＥ給電システムにおいて、受電装置において異常が解消された場合等に、要求スイッチから給電要求信号が送信されることによって、直ちに動作を再開することが可能である。
【０００９】
なお、この欄及び特許請求の範囲に記載した括弧内の符号は、一つの態様として後述する実施形態に記載の具体的手段との対応関係を示すものであって、本開示の技術的範囲を限定するものではない。
【図面の簡単な説明】
【００１０】
【図１】ＰｏＥ給電システム１の構成を示すブロック図である。
【図２】ＰｏＥ給電システム１の構成の詳細を示すブロック図である。
【図３】給電状態におけるＰｏＥ給電システム１の等価回路を示すブロック図である。
【図４】要求スイッチがオフ状態である場合のスタンバイ状態におけるＰｏＥ給電システム１の等価回路を示すブロック図である。
【図５】要求スイッチがオン状態である場合のスタンバイ状態におけるＰｏＥ給電システム１の等価回路を示すブロック図である。
【図６】給電処理を示すフローチャートである。
【発明を実施するための形態】
【００１１】
以下、図面を参照しながら、本開示の実施形態を説明する。
［１．構成］
図１に示すＰｏＥ給電システム１は、給電装置１０、受電装置２０及びケーブル３０を備える。
【００１２】
給電装置１０は、ケーブル３０を介して給電及び通信を行う装置である。
受電装置２０は、ケーブル３０を介して給電装置１０からの給電の受電及び給電装置１０との通信を行う装置である。
【００１３】
ケーブル３０は、給電装置１０及び受電装置２０の間の給電及び通信を行うためのケーブルである。ケーブル３０を介した給電装置１０から受電装置２０への給電は、例えば、ＰｏＥの規格であるＩＥＥＥ８０２．３ａｆ又はＩＥＥＥ８０２．３ａｔに従って行われる。ケーブル３０は、二線式のケーブルであり、例えば、ツイストペアケーブルである。
【００１４】
給電装置１０は、給電ブロック１１、給電通信ブロック１２及び給電制御ブロック１３を備える。
給電ブロック１１は、ケーブル３０を介して受電装置２０に対して給電を行うブロックである。
【００１５】
給電通信ブロック１２は、ケーブル３０を介して受電装置２０との通信を行うブロックである。
給電制御ブロック１３は、給電ブロック１１による給電及び給電通信ブロック１２による通信を制御するブロックである。
【００１６】
受電装置２０は、受電ブロック２１、受電通信ブロック２２、受電制御ブロック２３及び要求スイッチ２４を備える。
受電ブロック２１は、ケーブル３０を介して給電装置１０からの受電を行い、給電装置１０から受電した電圧である給電電圧を受電通信ブロック２２及び受電制御ブロック２３が動作する電圧である駆動電圧に変換し、駆動電圧を受電通信ブロック２２及び受電制御ブロック２３に供給するブロックである。
【００１７】
受電通信ブロック２２は、ケーブル３０を介して給電装置１０との通信を行うブロックである。
受電制御ブロック２３は、受電ブロック２１による受電及び受電通信ブロック２２による通信を制御するブロックである。
【００１８】
受電制御ブロック２３は、異常を検出する等して、受電装置の動作を停止するときに、受電通信ブロック２２を介した通信により停止要求信号を送信する。
要求スイッチ２４は、ケーブル３０を介して給電装置１０に給電を要求する物理スイッチである。
【００１９】
ＰｏＥ給電システム１の詳細な構成について、図２を用いて説明する。
なお、給電通信ブロック１２と受電通信ブロック２２とは、イーサネット（登録商標）の規格に従って行われる通信であり、公知技術であるため、詳細な説明を省略する。
【００２０】
また、受電制御ブロック２３による受電及び通信の制御は公知技術であるため詳細な説明を省略する。ここでは、主として受電を停止した受電ブロック２１が受電を再開する制御に関わる構成を中心に説明する。
＜ケーブル＞
ケーブル３０は第一通信線３１及び第二通信線３２を有している。
＜給電装置＞
給電ブロック１１は、第一切替ブロック１１１、第二切替ブロック１１２及び判定回路１１３を備える。
【００２１】
第一切替ブロック１１１は、第一接続ノード１１１ａ、第一給電ノード１１１ｂ、第一スタンバイノード１１１ｃ及び第一停止ノード１１１ｄを備える。
第一接続ノード１１１ａは、第一通信線３１と電気的に接続される。
【００２２】
第一給電ノード１１１ｂは、電源５０と電気的に接続される。ここで、電源５０から入力される電圧を以下では、電源電圧ＶＤＤと表す。
第一スタンバイノード１１１ｃは判定回路１１３と電気的に接続される。
【００２３】
第一給電ノード１１１ｂと第一スタンバイノード１１１ｃとは給電抵抗１１４を挟んで、電気的に接続される。ここで、給電抵抗１１４の抵抗値を以下ではＲ１１４と表す。
第一停止ノード１１１ｄは、電気的に非接続となるノードである。
【００２４】
第一切替ブロック１１１と同様に第二切替ブロック１１２も第二接続ノード１１２ａ、第二給電ノード１１２ｂ、第二スタンバイノード１１２ｃ、第二停止ノード１１２ｄを有する。
【００２５】
第二接続ノード１１２ａは、第二通信線３２と電気的に接続される。
第二給電ノード１１２ｂは、接地される。
第二スタンバイノード１１２ｃは、第一スタンバイノード１１１ｃと電気的に接続される。
【００２６】
第二停止ノード１１２ｄは、電気的に非接続となるノードである。
第一接続ノード１１１ａは第一給電ノード１１１ｂ、第一スタンバイノード１１１ｃ及び第一停止ノード１１１ｄのいずれか一つと択一的に電気的に接続される。同様に、第二接続ノード１１２ａは、第二給電ノード１１２ｂ、第二スタンバイノード１１２ｃ及び第二停止ノード１１２ｄのいずれか一つと、択一的に電気的に接続される。
【００２７】
第一接続ノード１１１ａ及び第二接続ノード１１２ａの接続状態に対応した接続相手は、第一切替ブロック１１１及び第二切替ブロック１１２にそれぞれ入力される同一の制御信号Ｓｃに応じて切り替えられる。
【００２８】
第一接続ノード１１１ａと第一給電ノード１１１ｂとが電気的に接続され、第二接続ノード１１２ａと第二給電ノード１１２ｂとが電気的に接続された接続状態を給電状態という。第一接続ノード１１１ａと第一スタンバイノード１１１ｃとが電気的に接続され、第二接続ノード１１２ａと第二スタンバイノード１１２ｃとが電気的に接続された接続状態をスタンバイ状態という。第一接続ノード１１１ａと第一停止ノード１１１ｄとが電気的に接続され、第二接続ノード１１２ａと第二停止ノード１１２ｄとが電気的に接続された接続状態を停止状態という。
【００２９】
判定回路１１３は、参照電源１１３ａとコンパレータ１１３ｂとを備える。
参照電源１１３ａは、あらかじめ決められた閾値電圧Ｖｔｈを生成する。
コンパレータ１１３ｂは、閾値電圧Ｖｔｈと判定回路１１３に入力される信号である入力信号の電位との大小関係に応じた判定信号Ｓｊを出力する。入力信号の電位を以下では入力電圧Ｖｉｎと表す。ここで、コンパレータ１１３ｂが出力する判定信号Ｓｊは、例えば、入力電圧Ｖｉｎが閾値電圧Ｖｔｈよりも大きい場合にハイレベルの信号となり、入力電圧Ｖｉｎが閾値電圧Ｖｔｈ以下である場合にローレベルの信号となる。
【００３０】
給電制御ブロック１３は、判定ブロック１３１及び制御実行ブロック１３２を備える。
判定ブロック１３１は、給電制御ブロック１３に入力される判定信号Ｓｊがローレベルである場合に、給電要求信号が入力されたと判定する。
【００３１】
制御実行ブロック１３２は、接続状態を切り替える信号である制御信号Ｓｃを第一切替ブロック１１１及び第二切替ブロック１１２に出力することにより、第一切替ブロック１１１及び第二切替ブロック１１２の接続状態の設定を行う。
【００３２】
制御実行ブロック１３２は、例えば、給電装置１０がオンになった場合及び判定ブロック１３１により給電要求信号が入力されたと判定された場合に、接続状態を給電状態に設定する。
【００３３】
制御実行ブロック１３２は、例えば、給電通信ブロック１２がケーブル３０を介して停止要求信号を受信した場合に、接続状態をスタンバイ状態に設定する。
制御実行ブロック１３２は、例えば、スタンバイ状態に設定されてからあらかじめ決められた時間であるスタンバイ時間が経過した場合に、接続状態を停止状態に設定する。ここでいうスタンバイ時間は、例えば、３０分などの時間が設定される。
【００３４】
なお、第一切替ブロック１１１及び第二切替ブロック１１２が切替部に相当する。
＜受電装置＞
受電ブロック２１は、第一通信線３１及び第二通信線３２と電気的に接続される。
【００３５】
受電ブロック２１は、第一通信線３１及び第二通信線３２を介して受電し、第一通信線３１及び第二通信線３２の間の電位差が、あらかじめ設定された作動閾値以上であれば、給電電圧を駆動電圧に変換し、駆動電圧を受電通信ブロック２２及び受電制御ブロック２３に供給する。これにより、受電通信ブロック２２及び受電制御ブロック２３が動作し、ケーブル３０を介した給電通信ブロック１２及び受電通信ブロック２２の間での通信が可能な状態となる。
【００３６】
受電ブロック２１は、第一通信線３１及び第二通信線３２の間の電位差が、作動閾値未満であれば、受電通信ブロック２２及び受電制御ブロック２３への駆動電圧の供給を停止する。これにより、受電通信ブロック２２及び受電制御ブロック２３は動作を停止し、ケーブル３０を介した給電通信ブロック１２及び受電通信ブロック２２の間での通信が不能な状態となる。なお、作動閾値の値は電源５０の電源電圧ＶＤＤよりも小さく、駆動電圧よりも大きい値に設定される。
【００３７】
第一通信線３１と第二通信線３２との間には、受電ブロック２１と並列に、直列接続された一対の抵抗器である第一受電抵抗２５及び第二受電抵抗２６が配置される。以下ではこの第一受電抵抗２５及び第二受電抵抗２６により構成される一対の抵抗器を直列抵抗という。
【００３８】
要求スイッチ２４は、オンオフを切り替えるスイッチであり、一端が接地され、他端が第一受電抵抗２５及び第二受電抵抗２６の共通接続端に電気的に接続される。
［２．動作例］
＜給電状態＞
給電状態では、ＰｏＥ給電システム１は図３に示すような等価回路で表される。ＰｏＥ給電システム１は、直列抵抗と、受電ブロック２１とが並列に接続された並列回路で表される。当該並列回路において、受電ブロック２１と第一受電抵抗２５との共通接続端に電源５０の電源電圧ＶＤＤが第一通信線３１を介して印加され、第二受電抵抗２６と受電ブロック２１との共通接続端が第二通信線３２を介して接地される。
【００３９】
つまり、給電状態では、受電ブロック２１の両端に電源電圧ＶＤＤが印加されるため、受電ブロック２１が動作し、受電装置２０はケーブル３０を介して給電装置１０と通信可能な状態となる。
【００４０】
このとき、直接接続された第一受電抵抗２５及び第二受電抵抗２６にも電流が流れ、電力が消費される。第一受電抵抗２５及び第二受電抵抗２６の抵抗値は、不要な電力消費を抑制するため、十分に大きな値となるように設定される。
【００４１】
＜スタンバイ状態＞
スタンバイ状態において、要求スイッチ２４がオフ状態である場合には、ＰｏＥ給電システム１は、図４に示すような等価回路で表される。
【００４２】
第一通信線３１と第二通信線３２との間には、直列抵抗と受電ブロック２１とが並列に接続される。
電源５０は給電抵抗１１４を介して第一通信線３１と第二通信線３２とに接続される。
【００４３】
つまり、第一通信線３１と第二通信線３２とは接続されており、同電位となる。このため、第一通信線３１と第二通信線３２との間で電位差が生じず、受電ブロック２１に電流が流れない。
【００４４】
また、給電抵抗１１４に電流が流れないため、判定回路１１３に入力される入力信号の電位Ｖｉｎは電源電圧ＶＤＤとなる。
一方、スタンバイ状態において、要求スイッチ２４がオン状態である場合には、ＰｏＥ給電システム１は、図５に示すような等価回路で表される。
【００４５】
すなわち、スタンバイ状態において、要求スイッチ２４がオン状態である場合、図４で表した等価回路を構成する第一受電抵抗２５及び第二受電抵抗２６の間の共通接続端が接地された回路となる。
【００４６】
ここで、スタンバイ状態において、要求スイッチ２４がオフ状態である場合と同様、第一通信線３１と第二通信線３２とは接続されており、同電位となる。このため、第一通信線３１と第二通信線３２との間で電位差が生じず、受電ブロック２１に電流が流れない。
【００４７】
スタンバイ状態において、要求スイッチ２４がオン状態である場合の入力信号の電位Ｖｉｎをオン電圧Ｖｏｎとすると、オン電圧Ｖｏｎと閾値電圧Ｖｔｈとの関係は（１）式で表される。
【００４８】
【数１】
2019106594.tif 000003
ここで、オン電圧Ｖｏｎは、（２）式で表される。
【００４９】
【数２】
2019106594.tif 000004
また、抵抗値Ｒｘは第一受電抵抗２５及び第二受電抵抗２６が並列に接続された回路の抵抗値を表し（３）式で表される。
【００５０】
【数３】
2019106594.tif 000005
つまり、（１）式の関係を満たすように、第一受電抵抗２５の抵抗値Ｒ２５及び第二受電抵抗２６の抵抗値Ｒ２６の値は設定される。
【００５１】
ここで、要求スイッチ２４がオン状態となると、コンパレータ１１３ｂは、入力信号の電位Ｖｉｎはオン電圧Ｖｏｎとなるため、入力信号の電位Ｖｉｎが閾値電圧Ｖｔｈよりも小さくなり、ローレベルの判定信号Ｓｊを出力する。
【００５２】
判定ブロック１３１は、ローレベルの判定信号Ｓｊを受けると、給電要求信号が入力されたと判定する。給電要求信号が入力されたと判定ブロック１３１が判定すると、制御実行ブロック１３２は、第一切替ブロック１１１及び第二切替ブロック１１２の接続状態をスタンバイ状態から給電状態に切り替える制御を行う。これにより、接続状態が給電状態に設定される。
【００５３】
＜停止状態＞
停止状態では、第一接続ノード１１１ａと第一停止ノード１１１ｄとが電気的に接続され、第二接続ノード１１２ａと第二停止ノード１１２ｄとが電気的に接続される。
【００５４】
これにより、給電装置１０から受電装置２０への給電は停止し、また、要求スイッチ２４のオンオフが切り替わっても、給電装置１０は給電要求信号を受け付けず、接続状態を給電状態に切り替えることができない。
【００５５】
［２．処理］
次に、ＰｏＥ給電システム１が実行する給電処理について図６を用いて示す。
なお、給電処理は、ＰｏＥ給電システム１が起動すると開始される。
【００５６】
Ｓ１１０で、ＰｏＥ給電システム１は、接続状態を給電状態に設定する。ここで、接続状態の設定は、制御実行ブロック１３２により行われてもよく、初期状態の場合に給電状態になるようにあらかじめ設定されていてもよい。
【００５７】
Ｓ１２０で、ＰｏＥ給電システム１は、停止要求信号を受信したか否か判定する。
ＰｏＥ給電システム１は、Ｓ１２０で停止要求信号を受信していないと判定した場合には給電状態を継続する。
【００５８】
ＰｏＥ給電システム１は、Ｓ１２０で停止要求信号を受信したと判定した場合にはＳ１３０に処理を移行する。
Ｓ１３０で、ＰｏＥ給電システム１は、接続状態をスタンバイ状態に切り替える。
【００５９】
Ｓ１４０で、ＰｏＥ給電システム１は、判定ブロック１３１が給電要求信号を受信したか否かを判定する。
ＰｏＥ給電システム１は、Ｓ１４０で判定ブロック１３１が給電要求信号を受信したと判定した場合、Ｓ１１０に処理を移行し、以降の処理を行う。
【００６０】
ＰｏＥ給電システム１は、Ｓ１４０で判定ブロック１３１が給電要求信号を受信していないと判定した場合、Ｓ１５０に処理を移行する。
Ｓ１５０で、ＰｏＥ給電システム１は、スタンバイ状態に切り替えられてからあらかじめ決められた時間であるスタンバイ時間が経過したか否か判定する。
【００６１】
ＰｏＥ給電システム１は、スタンバイ状態に切り替えられてからスタンバイ時間が経過していないとＳ１５０で判定した場合、Ｓ１４０に処理を移行し、以降の処理を行う。
ＰｏＥ給電システム１は、スタンバイ状態に切り替えられてからスタンバイ時間が経過したとＳ１５０で判定した場合、Ｓ１６０に処理を移行する。
【００６２】
Ｓ１６０で、ＰｏＥ給電システム１は、接続状態を停止状態に切り替え、処理を終了する。
すなわち、Ｓ１３０からＳ１６０までの処理により、スタンバイ状態になってからスタンバイ時間内に給電要求信号を受信した場合には、接続状態が給電状態に設定され、給電ブロック１１から受電ブロック２１への給電が再開される。
【００６３】
一方、スタンバイ状態になってからスタンバイ時間内に給電要求信号を受信しなかった場合には、接続状態が停止状態に切り替えられ、要求スイッチ２４からの給電要求信号の受信を受け付けなくなる。
【００６４】
［３．効果］
以上詳述した実施形態によれば、以下の効果を奏する。
（１）上述した実施形態によれば、給電状態を停止した場合、スタンバイ状態に切り替えられる。スタンバイ状態においては、受電ブロック２１の両端には同電位の電圧が印加されているため、受電ブロック２１自体は動作することはない。
【００６５】
しかし、受電装置２０には、第一通信線３１及び第二通信線３２を介して電源電圧ＶＤＤが印加される。受電装置２０に備えられた要求スイッチ２４がオン状態になることにより、給電装置１０の判定回路１１３に入力される入力信号の電位Ｖｉｎが電源電圧ＶＤＤからオン電圧Ｖｏｎに変化する。給電装置１０に備えられた判定ブロック１３１はこの電圧の変化を要求信号として受信し、給電を再開する。
【００６６】
つまり、要求スイッチ２４を操作することにより給電装置による給電の再開を行うことが可能である。
（２）給電の再開は、要求スイッチ２４は使用者により操作することが出来る物理スイッチであるため、使用者がオンオフを切り替えることができ、使用者が任意のタイミングで給電装置１０による給電を再開することができる。
【００６７】
（３）また、スタンバイ状態になってからスタンバイ時間が経過した後には、停止状態に移行し、給電装置１０からケーブル３０を介した電源電圧ＶＤＤの印加が停止されるため、給電装置１０からケーブル３０を介した電源電圧ＶＤＤの印加に伴う消費電力を低減させることができる。
【００６８】
［４．他の実施形態］
以上、本開示の実施形態について説明したが、本開示は上述の実施形態に限定されることなく、種々変形して実施することができる。
【００６９】
（１）上記実施形態では、接続状態がスタンバイ状態に切り替えられてからスタンバイ時間が経過した後に、停止状態に移行するが、接続状態の切替はこれに限定されるものではない。例えば、スタンバイ状態に切り替えられてから、判定ブロック１３１が給電要求信号を受信するまでスタンバイ状態を継続していてもよい。すなわち、停止状態を有さず、給電状態とスタンバイ状態のみの構成であってもよい。
【００７０】
（２）上記実施形態では、要求スイッチ２４は受電装置２０と一体となっているが、要求スイッチ２４は受電装置２０と一体に備えられるものに限定されるものではない。例えば、受電装置の外側に備え付けられるものであってもよい。
【００７１】
（３）上記実施形態では、判定回路１１３は参照電源１１３ａとコンパレータ１１３ｂとを備え、コンパレータ１１３ｂは入力電圧Ｖｉｎが閾値電圧Ｖｔｈよりも大きい場合にハイレベルの判定信号Ｓｊを出力し、判定ブロック１３１がハイレベルの判定信号Ｓｊを入力したと判定した場合に給電要求信号が入力されたと判定するが、判定回路１１３の構成はコンパレータと参照電源とにより構成されるものに限定されるものではなく、要求スイッチ２４によりオンオフが切り替えられたことが判定出来ればよい。
【００７２】
（４）上記実施形態では、給電装置１０及び受電装置２０はそれぞれ１つずつであるが、給電装置１０及び受電装置２０の個数は１つずつに限定されるものではなく、例えば、給電装置１０及び受電装置２０の少なくとも一方を複数備える構成であってもよい。
【００７３】
（５）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【００７４】
（６）上述したＰｏＥ給電システムの他、当該ＰｏＥ給電システムを構成要素とするシステム、当該ＰｏＥ給電システムとしてコンピュータを機能させるためのプログラム、このプログラムを記録した半導体メモリ等の非遷移的実態的記録媒体、ＰｏＥ給電方法など、種々の形態で本開示を実現することもできる。
【符号の説明】
【００７５】
１…ＰｏＥ給電システム、１０…給電装置、１１…給電ブロック、１１…実施態様物要素、１２…給電通信ブロック、１３…給電制御ブロック、２０…受電装置、２１…受電ブロック、２２…受電通信ブロック、２３…受電制御ブロック、２４…要求スイッチ、２５…第一受電抵抗、２６…第二受電抵抗、３０…ケーブル、３１…第一通信線、３２…第二通信線、５０…電源、１１１…第一切替ブロック、１１１ａ…第一接続ノード、１１１ｂ…第一給電ノード、１１１ｃ…第一スタンバイノード、１１１ｄ…第一停止ノード、１１２…第二切替ブロック、１１２ａ…第二接続ノード、１１２ｂ…第二給電ノード、１１２ｃ…第二スタンバイノード、１１２ｄ…第二停止ノード、１１３…判定回路１１３ａ…参照電源、１１３ｂ…コンパレータ、１１４…給電抵抗、１３１…判定ブロック、１３２…制御実行ブロック。
【図１】
2019106594.tif 000006
【図２】
2019106594.tif 000007
【図３】
2019106594.tif 000008
【図４】
2019106594.tif 000009
【図５】
2019106594.tif 000010
【図６】
2019106594.tif 000011